(57)【特許請求の範囲】
【請求項１】
巻き取られたシート体により形成されたファントムと、
該ファントムを形成するシート体同士間に存し、放射線量を検知する線量検知手段と、
を備えてなる、放射線量検知具。
【請求項２】
前記線量検知手段が、前記線量検知手段が間に配設される前記シート体同士のうちいずれか一方に固定されているものである、請求項１に記載の放射線量検知具。
【請求項３】
前記線量検知手段が、前記シート体同士間に沿ったフィルム形状である、請求項１又は２に記載の放射線量検知具。
【請求項４】
前記巻き取られたシート体同士が隣接する部分はシート体同士が密接するものである、請求項１乃至３のいずれか１に記載の放射線量検知具。
【請求項５】
前記シート体が、アクリル樹脂により形成されているものである、請求項１乃至４のいずれか１に記載の放射線量検知具。
【請求項６】
前記シート体と前記線量検知手段とを備えてなる、請求項１乃至５のいずれか１に記載の放射線量検知具を製作するための製作キット。
【発明の詳細な説明】
【技術分野】
【０００１】
本発明は、放射線量検知具に関し、より詳細には、診断や治療等において放射線を動物の体（人体を含む）に照射する際に該体に照射される放射線の放射線量を検知するために用いる放射線量検知具に関する。
【背景技術】
【０００２】
Ｘ線等のような放射線は、動物（人を含む）を診断したり治療するため、該動物の体に照射され用いられている。診断においては放射線障害の発生をできる限り抑えるため体が受ける放射線量（被曝線量）はできる限り小さい方が好ましく、治療においては治療対象部位には所定の線量を照射することが要求されるが、治療対象部位以外の部位には診断の場合と同様に放射線障害の発生をできる限り抑えるため放射線量（被曝線量）はできる限り小さい方が好ましい。
このため放射線を用いた診断や治療等を安全かつ的確に行うため、放射線が照射される体が被曝する線量をうまく把握することが要求される。
また、最近では、的確な診断を行うためコンピューテッド・トモグラフィー（Ｃｏｍｐｕｔｅｄ  Ｔｏｍｏｇｒａｐｈｙ、以下「ＣＴ」という。）が急速に普及しつつあり、ＣＴにおいては診断対象の体の周囲の様々な方向からＸ線を照射する（例えば３６０度回転しつつ照射する）ので、最大被曝部位が体の内部に存する場合もあることから、放射線障害等の発生を防ぐには、体の各部位の放射線量（被曝線量）を詳細に把握することが一層強く要求される。
【０００３】
放射線が照射される体が被曝する線量を把握するというかかる要求に応えるため、体のダミーとしてファントムが用いられてきた（例えば、特許文献１）。ファントムは、問題とする放射線との相互作用が、実質的に放射線が照射される体（組織）と同様の性質を示す物体であり、ファントムの所定位置に放射線量（被曝線量）を検知する線量検知手段（例えば、線量計、放射線検出用写真フィルム等）を配設し、体に照射するのと同様に放射線を照射することで、放射線が照射される体（組織）のある位置（線量検知手段が配設されたファントムの該所定位置に対応する体（組織）の位置）における放射線量（被曝線量）を推定評価することができるものである。
特許文献１に開示されたファントムは、「Ｘ線ＣＴ装置からのＸ線が照射されるファントムであって、軸方向両側の端面のうちの少なくともいずれか一方の端面に嵌合部が形成され、軸方向に貫通する所定数の貫通孔を備える、ことを特徴とするファントム」（特許文献１の発明の詳細な説明中、段落番号０００７）であり、これによって「ビーム形状に合わせてファントムを嵌合部で複数個互いに連結したので、ファントムを軸方向に段階的に長く形成することが可能となる。このため、コーンビームのようなビーム形状が大きなものに対しても被曝線量の測定を精度よく行うことができる。しかも、ファントム同士を嵌合部で互いに連結したことにより、これらファントム同士を強固に連結できる。また、このようにファントムを軸方向に大きくできるため、Ｘ線がファントムに照射されたときにファントム内で生じる散乱線の影響も考慮して、Ｘ線による被曝線量を精度よく測定することができる。さらに、互いに連結した各ファントムの端面間の断面形状を例えば凸形状（凹形状）に形成できるため、各ファントムの端面間をＸ線がすり抜けてしまう事態を解消することができ」（特許文献１の発明の詳細な説明中、段落番号０００８）ることから、「嵌合部が形成されたファントムを複数個互いに連結したり、切り離したりすることにより、ビーム形状が小さなものからコーンビームのようなビーム形状が大きなものに対しても被曝線量の測定を精度よく行うことができる。また、ファントムの運搬時、保管時には、結合されたファントムを小さな個々のファントムにばらばらに分解することにより、ファントムの運搬、保管を容易に行うことができる。しかも、ファントム同士を嵌合部で互いに連結したことにより、これらファントム同士を強固に連結できる。また、このようにファントムを軸方向に大きくできるため、Ｘ線がファントムに照射されたときにファントム内で生じる散乱線の影響を考慮して、Ｘ線の被曝線量をより正確に測定することができる。さらに、互いに結合した各ファントムの端面間の断面形状を例えば凸形状（凹形状）に形成できるため、各ファントムの端面間をＸ線がすり抜けてしまう事態を解消することができ、Ｘ線の被曝線量をより一層精度よく測定することができる」（特許文献１の発明の詳細な説明中、段落番号００２５、００２６）という効果を奏するものである。
【０００４】
【特許文献１】特開２００５−１８５３２８号公報（例えば、発明の詳細な説明中、段落番号０００７〜００２６、第１図、第２図等）
【発明の開示】
【発明が解決しようとする課題】
【０００５】
しかしながら、特許文献１に係る発明（ファントム）においては、放射線量（被曝線量）を検知する線量検知手段（特許文献１にいう線量測定器）はファントムに形成された貫通孔に挿入されることで配設されているので、ファントムにおける線量検知手段（特許文献１にいう線量測定器）の位置を変更しようとするとファントムに新たな貫通孔を穿設等することを要するものであり、新たな貫通孔を穿設等する手間、ファントムに与える悪影響（貫通孔を穿設することでファントムの強度低下等が生じ得る。）そして放射線量（被曝線量）測定に与える悪影響（貫通孔が穿設されると貫通孔による放射線の散乱や適切な減衰が生じないこと等から体を通過する放射線をうまくシミュレーションできなくなること等が生じ得る。）等から、ファントムにおける線量検知手段の位置変更は通常容易に行うことができなかった。
このことは、放射線量（被曝線量）を知りたい体の部分に対応して、ファントムにおける線量検知手段の位置変更を行うことを困難にするものであり、放射線が照射される体の各部における放射線量（被曝線量）を詳細に把握することを難しくするものであった。
【０００６】
そこで、本発明においては、ファントムにおける線量検知手段の位置変更を容易に行うことができる、ファントムを用いた放射線量検知具を提供することを目的とする。
【課題を解決するための手段】
【０００７】
本発明のファントムを用いた放射線量検知具（以下、「本検知具」という。）は、巻き取られたシート体により形成されたファントムと、該ファントムを形成するシート体同士間に存し、放射線量を検知する線量検知手段と、を備えてなる、放射線量検知具である。
本検知具は、ファントムを形成する巻き取られたシート体同士間に線量検知手段が配設されるので、シート体を巻き取ることで立体的なファントムを容易に構成することができると共に、ファントムを形成するためシート体を巻き取る際に線量検知手段を所望の位置に高い自由度で配置することができる（とりわけファントムを形成するためシート体を巻き取って次第に大きな立体とする場合であれば、表面から様々な深さに線量検知手段を容易に配置することができる。）。即ち、本検知具は、ファントムにおける線量検知手段の位置変更を容易に行うことができる、ファントムを用いた放射線量検知具である。
なお、ここにいうシート体とは、表面と裏面とを形成する両主表面を有し、巻き取ることができる程度の柔軟性を有する板状の部材をいう。そして、線量検知手段は、ファントムを形成するシート体同士間に配設することができ、放射線量を検知することができるものであればいかなるものであってもよく何ら限定されるものではないが、一例を挙げるとすれば、従来からファントムに配設されて用いられてきた線量計等を例示することができる。
【０００８】
前記線量検知手段が、前記線量検知手段が間に配設される前記シート体同士のうちいずれか一方に固定されているものであってもよい。
本検知具においては、ファントムを形成するためシート体を巻き取る際に線量検知手段を所望の位置に高い自由度で配置することができるが、シート体と線量検知手段との相対的な位置関係が固定されている方が都合がよい場合（例えば、シート体を巻き取る際、線量検知手段をシート体に対する所望位置にうまく納めることが難しかったり、線量検知手段が落下して取り扱いが難しい場合等）がある。このような場合では、線量検知手段が間に配設されるシート体同士のうちいずれか一方に線量検知手段が固定されるようにしてもよい。
なお、「前記線量検知手段が、前記線量検知手段が間に配設される前記シート体同士のうちいずれか一方に固定されている」とは、線量検知手段が該一方に接着や融着等により固定されている場合のみならず、シート体の一部が線量検知手段を構成する場合（例えば、シート体の一部がフィルム線量計を構成するような場合）も含む。
【０００９】
前記線量検知手段が、前記シート体同士間に沿ったフィルム形状であってもよい（以下、「フィルム本検知具」という。）。
線量検知手段は、ファントムを形成する巻き取られたシート体同士間に配設されるので、シート体同士間に線量検知手段が配設されることでシート体の巻き取りを妨げないようにするには薄い方が好ましい。かかる点からは、線量検知手段がフィルム形状であってもよく、例えば、既に多くの種類が市販されている薄膜形状のフィルム線量計を一例として挙げることができる。
【００１０】
フィルム本検知具の場合、前記放射線量検知具を少なくとも２の部分に分割する所定平面に存する点を通過する該所定平面上の直線の全てが前記線量検知手段を通過するものである該点が存在するものであってもよい。
こうすることで該点が属する部分を線量検知手段が取り囲むので、該部分の周囲が受ける放射線量の状態を詳細に知ることができる。
【００１１】
前記巻き取られたシート体同士が隣接する部分はシート体同士が密接するものであってもよい。
ファントムに意図しない隙間や空洞等が存すると、ファントムが体内における放射線の状態を模擬的に示すことに悪影響が生じることがある（隙間や空洞による放射線の散乱や適切な減衰が生じないこと等から体を通過する放射線をうまくシミュレーションできなくなること等が生じ得る。）。従って、本検知具におけるファントムを構成する巻き取られたシート体同士間には意図しない隙間や空洞等が存しないよう、シート体同士が隣接する部分はシート体同士が密接する方が好ましい。なお、「巻き取られたシート体同士が隣接する部分」とは、線量検知手段がシート体同士間に介在することにより、巻き取られたシート体同士が離れている部分を除くものである。
【００１２】
前記シート体が、アクリル樹脂により形成されているものであってもよい。
ＰＭＭＡ（ポリメタクリル酸メチル）等のようなアクリル樹脂は、電子密度、柔軟性を付与することができること等の点から本検知具のシート体を形成すれば、本検知具のファントムがうまく体内の放射線の状態を示し（電子密度が体内組織に近い）、そしてシート体をうまく巻き取ることができる（柔軟性）。
なお、シート体は、巻き取られてファントムを構成するので、ここにいうシート体を形成するアクリル樹脂は、巻き取ることができる十分な柔軟性を有する軟性アクリル樹脂を用いるのが好ましい。このような軟性アクリル樹脂は様々なものが市販されているが、一例を挙げれば、株式会社クラレの商品名「パラペットＳＡ」を例示することができる。
【００１３】
本検知具は、ファントムを形成する巻き取られたシート体同士間に線量検知手段が既に配置された完成品として製造や販売等が行われてもよいが、本検知具の使用者によってファントムにおける線量検知手段の位置変更を一層容易に行うことを可能ならしめることからは、前記シート体と前記線量検知手段とを備えてなる本検知具の製作キットとして製造や販売等が行われてもよい。
こうすることで、例えば、本検知具の使用者は、シート体を巻き取ることで所望形状のファントムを形成しつつ、線量検知手段を所望位置に高い自由度で配置することができる。
【発明を実施するための最良の形態】
【００１４】
以下、本発明の実施の形態を図面を参照して説明する。しかしながら、これらによって本発明は何ら制限されるものではない。
【００１５】
図１は本発明の放射線量検知具（本検知具）１１を示す斜視図であり、図２は図１のＡ−Ａ断面図（図２（ａ））である。なお、図２（ａ）においては図示及び理解を容易にするため、後述のファントム本体部３１（第１部分３３と第２部分３５）については詳しい図示を省略しており、図２（ｂ）は図２（ａ）中の円Ｂの部分拡大図である（後述する第１シート体３３ｓが渦巻き状に巻き取られることで形成された第１部分３３と、第２シート体３５ｓが渦巻き状に巻き取られることで形成された第２部分３５と、のいずれも両シート体３３ｓ、３５ｓが巻き取られた様子を図２（ａ）中に図示するのは困難であるので、第１部分３３と第２部分３５とのいずれも散点を付して示しているが、実際には図２（ｂ）に示すように両シート体３３ｓ、３５ｓが密に巻き取られることで形成されている。）。また、図３は、ファントム本体部３１の第１部分３３を形成する第１シート体３３ｓ（図３（ａ））と、ファントム本体部３１の第２部分３５を形成する第２シート体３５ｓ（図３（ｂ））と、巻き取り芯２１（図３（ｃ））と、をそれぞれ示す斜視図である。図１乃至図３を参照して、本検知具１１について説明する。
本検知具１１は、大まかには、両端が開放された中空円筒形状の巻き取り芯２１と、巻き取り芯２１の外周面にシート体３３ｓ、３５ｓが巻き取られて形成されたファントム本体部３１と、ファントム本体部３１に巻き込まれた第１フィルム型線量計４１及び第２フィルム型線量計４３と、ファントム本体部３１の外周面に沿って巻き付けられるように取り付けられた第３フィルム型線量計４５と、を備えてなる。
【００１６】
巻き取り芯２１は、中空の直円筒形状をした樹脂製（具体的には、アクリル樹脂：ＰＭＭＡ）のパイプによって構成されている。巻き取り芯２１が形成する直円筒形状は、直径（外径）１ｃｍ（図３（ｃ）中、寸法Ｆ１）で長さ２１ｃｍ（図３（ｃ）中、寸法Ｆ２）であり、両端が開放された管形状を有している。
【００１７】
巻き取り芯２１にシート体３３ｓ、３５ｓが巻き取られて形成されたファントム本体部３１は、巻き取り芯２１に近い内側に位置する第１部分３３と、第１部分３３の外側に存する第２部分３５と、を有している。なお、第１部分３３と第２部分３５との境目を図２（ａ）中では点線Ｃにより示している。
第１部分３３は、第１シート体３３ｓが巻き取り芯２１の外周面に沿って巻き取られることで形成されている。第１シート体３３ｓは、所定の直径に沿って巻き取られることができる程度（巻き取り芯２１の外周面に沿って渦巻き状に巻き取られることができる程度）の柔軟な帯状のシートにより形成されており、具体的には、長さ４．１２ｍ（図３（ａ）中、寸法Ｋ１）、幅２０ｃｍ（図３（ａ）中、寸法Ｋ２）及び厚み０．５ｍｍ（図３（ａ）中、寸法Ｋ３）の樹脂製（具体的には、軟性アクリル樹脂：ＰＭＭＡ。ここでは株式会社クラレの商品名「パラペットＳＡ」を用いている。）シートにより構成されている。
第２部分３５は、第２シート体３５ｓが第１部分３３の外周面に巻き取られることで形成されている。第２シート体３５ｓは、所定の直径に沿って巻き取られることができる程度（第１部分３３の外周面に沿って巻き取られることができる程度）の柔軟な帯状のシートにより形成されており、具体的には、長さ４．２ｍ（図３（ｂ）中、寸法Ｌ１）、幅２０ｃｍ（図３（ｂ）中、寸法Ｌ２）及び厚み１ｍｍ（図３（ｂ）中、寸法Ｌ３）の樹脂製（具体的には、軟性アクリル樹脂：ＰＭＭＡ。ここでは株式会社クラレの商品名「パラペットＳＡ」を用いている。）シートにより構成されている。
このようにして第１シート体３３ｓ及び第２シート体３５ｓが略隙間無く密に巻き取られること（図２（ｂ）参照）で形成されたファントム本体部３１は、ほぼ直径約９ｃｍで高さ約２０ｃｍの直円柱形状を有している。また、用いるシート体（ここではシート体３３ｓ、３５ｓ）の厚みは特に制限されるものではないが、あまり薄いと巻き取る作業に手間取る場合（所望の立体を形成するのに巻き取る回数が増加する。）があり、逆にあまり厚いと取り扱いが難しくなったり線量検知手段の配設位置がうまく調整できなくなる場合があるので、これらを満足する範囲とされることが好ましく、通常、０．１ｍｍ以上、好ましくは０．２ｍｍ以上、より好ましくは０．３ｍｍ以上、最も好ましくは０．４ｍｍ以上とされ、２ｃｍ以下、好ましくは１ｃｍ以下、より好ましくは５ｍｍ以下、最も好ましくは２ｍｍ以下とされる。
【００１８】
第１フィルム型線量計４１、第２フィルム型線量計４３及び第３フィルム型線量計４５のいずれも、それらに照射された放射線（ここではＸ線）の線量（Ｇｙ：グレイ）に応じて色調に変化を生じることで照射線量を知ることができるような薄膜形状のフィルム（いわゆる「フィルム線量計」等と呼ばれており、既に多くの種類のものが市販されている。）によって構成されている。
ここに第１フィルム型線量計４１及び第２フィルム型線量計４３は、ファントム本体部３１を形成するシート体（具体的には、第１部分３３を形成する第１シート体３３ｓ）を巻き取る際に該シート体同士間に挟み込む（巻き込む）ことで支持され固定されている。また、第３フィルム型線量計４５は、ファントム本体部３１の外周面に沿って巻き付けられるように取り付けられる（例えば、貼着等）ことで支持され固定されている。
第１フィルム型線量計４１、第２フィルム型線量計４３及び第３フィルム型線量計４５のいずれも、ファントム本体部３１が形成する前記直円柱形状の軸（図１及び図２（ａ）中、Ｍにて示す。）を軸とする直円柱（以下、「基準直円柱」という。）の側面にその主表面（第１フィルム型線量計４１、第２フィルム型線量計４３及び第３フィルム型線量計４５それぞれの主表面）が略沿うように配設されている。また、基準直円柱の半径は、第１フィルム型線量計４１については１ｃｍ（図２（ａ）中、半径Ｒ１）、第２フィルム型線量計４３については２．５ｃｍ（図２（ａ）中、半径Ｒ２）及び第３フィルム型線量計４５については４．５ｃｍ（図２（ａ）中、半径Ｒ３）に略されている。
【００１９】
このような本検知具１１の製作方法について簡単に説明しておく。
第１に、上で説明したような巻き取り芯２１、第１シート体３３ｓ、第２シート体３５ｓ、第１フィルム型線量計４１、第２フィルム型線量計４３及び第３フィルム型線量計４５を準備する。
第２に、図４に示すよう、巻き取り芯２１に第１シート体３３ｓを巻き取っていく（これにより第１部分３３が形成される。例えば、図４中、矢印Ｎ方向に巻き取り芯２１を回転させつつ第１シート体３３ｓを巻き取っていってもよい。）。なお、巻き取り芯２１が形成する直円筒の軸（図４中、軸Ｐにより示す。）に対して垂直な平面（図４が示す面が該平面の１に該当する。）と第１シート体３３ｓの長手方向（図３（ａ）中、寸法Ｋ１に沿った方向）とが略平行になるように巻き取り芯２１に第１シート体３３ｓを巻き取ってゆく。そして、この巻き取り芯２１に第１シート体３３ｓを巻き取っていく際、第１シート体３３ｓ同士間の所定位置に第１フィルム型線量計４１と第２フィルム型線量計４３とを挟み込む（巻き込む）。該所定位置は、ここでは前述したように、ファントム本体部３１が形成する前記直円柱形状の軸（図１及び図２（ａ）中、Ｍにて示す。）から半径１ｃｍ（第１フィルム型線量計４１）と半径２．５ｃｍ（第２フィルム型線量計４３）となる位置である。このようにして巻き取り芯２１に第１シート体３３ｓが巻き取られて形成された中間体（前述のように、第１フィルム型線量計４１と第２フィルム型線量計４３とを含む。）が形成される。
【００２０】
第３に、図５に示すよう、第２において形成された前記中間体５１（図示を容易にするため、図５中では第１フィルム型線量計４１及び第２フィルム型線量計４３の図示を省略している。）に第２シート体３５ｓを巻き取っていく（これにより第２部分３５が形成される。例えば、図５中、矢印Ｎ方向に中間体５１を回転させつつ巻き取ってもよい。）。上述した巻き取り芯２１に第１シート体３３ｓを巻き取ってゆくときと同様に、中間体５１に含まれる巻き取り芯２１が形成する直円筒の軸（図５中、軸Ｐにより示す。）に対して垂直な平面（図５が示す面が該平面の１に該当する。）と第２シート体３５ｓの長手方向（図３（ｂ）中、寸法Ｌ１に沿った方向）とが略平行になるようにかつ中間体５１に含まれる第１シート体３３ｓと第２シート体３５ｓとが幅方向について重なるように（即ち、中間体５１に含まれる第１シート体３３ｓの外周面を第２シート体３５ｓが覆うように）中間体５１に第２シート体３５ｓを巻き取ってゆく。
第４に、第３において中間体５１に第２シート体３５ｓが巻き取られて形成されたものの外周面に第３フィルム型線量計４５を貼着等により巻き付け取り付ける。さらに、第１シート体３３ｓ、第１フィルム型線量計４１、第２フィルム型線量計４３、第２シート体３５ｓ及び第３フィルム型線量計４５が緩まないよう（巻き出されないよう）にして（例えば、第２シート体３５ｓや第３フィルム型線量計４５の外側の縁部を接着したり、第３フィルム型線量計４５の外周面をバンドのようなもので緩まないよう縛着してもよい。）本検知具１１が完成される。
【００２１】
本検知具１１を、図６に示すように実際の被検者のＣＴ像を撮像するのと同様の条件にてＣＴ装置（東芝製）に配置し撮像したところ、図７のようなＣＴ像が得られた。図７には、被検者が横たわるためのベッド（図７中には、患者用ベッドとして示されている。）に載置された本検知具１１の断層像（ファントム本体部３１が形成する前記直円柱形状の軸（図１及び図２（ａ）中、Ｍにて示す。）に対して略垂直な平面により切断したところを示す像）が示されており、巻き取り芯２１の内部空間、ファントム本体部３１、第１フィルム型線量計４１、第２フィルム型線量計４３及び第３フィルム型線量計４５（なお、第１フィルム型線量計４１、第２フィルム型線量計４３及び第３フィルム型線量計４５については、図７中の文言「フィルム型線量計」から延びる３本の矢印にて示した。）等が看取される。
【００２２】
かかるＣＴ撮像の後、第１フィルム型線量計４１、第２フィルム型線量計４３及び第３フィルム型線量計４５を取り出しそれぞれが受けた線量を評価したところ、それぞれ２５．２８ｃＧｙ（第１フィルム型線量計４１）、２８．２５ｃＧｙ（第２フィルム型線量計４３）及び２４．９８ｃＧｙ（第３フィルム型線量計４５）であった。なお、ここで「ｃＧｙ」はセンチＧｙ（１／１００グレイ）を示している。このようにここの本検知具１１においては、表面（第３フィルム型線量計４５）や中心に近い部分（第１フィルム型線量計４１）よりも、それらの中間部分（第２フィルム型線量計４３）付近に高線量領域が生じることが明らかになった。ここでは第１フィルム型線量計４１、第２フィルム型線量計４３及び第３フィルム型線量計４５のように代表的な３個所に線量計（線量検知手段）を配置したが、より多くの異なる位置に線量計（線量検知手段）を配置すれば、より正確かつ詳細に各位置の線量を知ることができる（例えば、線量の最も高い位置がどこでどの程度の線量かを一層正確に知ることもできる。）。
【００２３】
このように本検知具１１を用いることにより、次のような利点がある。
（１）ファントム（ファントム本体部３１）を形成する巻き取られたシート体（第１シート体３３ｓ）同士間に線量検知手段（第１フィルム型線量計４１、第２フィルム型線量計４３）が配設されるので、シート体を巻き取ることで立体的なファントムを容易に構成することができると共に、ファントムを形成するためシート体を巻き取る際に線量検知手段を所望の位置に高い自由度で配置することができる（必要に応じてシート体の厚みを設定することで、線量検知手段を所望の位置に一層高い自由度で配置することができる。）。とりわけここで行ったように、ファントム（ファントム本体部３１）を形成するためシート体（第１シート体３３ｓ）を巻き取って次第に大きな立体とする場合であれば、表面から様々な深さに線量検知手段（第１フィルム型線量計４１、第２フィルム型線量計４３）を容易に配置することができる（第１フィルム型線量計４１と第２フィルム型線量計４３とでは、ファントム（ファントム本体部３１）の表面から異なる深さに配設されている。）。即ち、本検知具１１は、ファントム（ファントム本体部３１）における線量検知手段の位置変更を容易に行うことができる、ファントムを用いた放射線量検知具である。
また、本検知具１１の第１シート体３３ｓや第２シート体３５ｓを緩めて巻き出して、再度これらのシート体３３ｓ、３５ｓを巻き取るようにすれば、線量検知手段（ここでは第１フィルム型線量計４１や第２フィルム型線量計４３）の位置を変えたり増減させることも容易かつ自由にでき、何度も再使用できる。
（２）従来から用いられてきたパラフィンを主成分とした「ＭｉｘーＤｐ」等と呼ばれる人体等価固形ファントムのように衝撃に弱く壊れやすいものとは異なり、本検知具１１は、柔軟な（軟性）シート体等により衝撃等にも強く丈夫である（高耐久性）。そして、柔軟な（軟性）シート体を用いているので、被検者等のような動物の体に衝突や当接しても該体に傷害を与える可能性が小さく安全である。加えて、柔軟な（軟性）シート体を用いているので、ファントムの形状を必要に応じて変化させることができ、体の形状に似せ合わせてることも容易にできる。
（３）線量検知手段としてペンシル型電離箱線量計等のような電離箱線量計を用いる場合にある一定の体積の空間が受けた線量を計測する（該空間を一つの測定単位とするので、該空間内部の各部分での状況を測定や把握することはできない。）のと異なり、本検知具１１のように線量検知手段としてフィルム型線量計を用いることで各位置における線量を測定することができるので、例えば、被曝線量管理において最も重要な一つとされている最大線量を被曝する部位を正確に特定しかつ該部位における線量を測定することを可能ならしめる。
このことは最近急速に普及したＣＴ装置を用いた撮影や高精度放射線治療において特に重要である。即ち、従来の医用画像取得のための放射線照射は通常一方向からのみ放射線が体に照射されるので、該体の放射線照射面（入射面）に最大被曝部位が生じるが、ＣＴ装置を用いる場合では種々の方向（例えば３６０度回転しつつ照射する。）から放射線を体に照射するため体表面のみではなく体内に最大被曝部位が生じることもあり、被曝線量の管理を行う上では最大線量を被曝する部位を正確に特定しかつ該部位における線量を測定することが極めて重要である。さらに、高精度放射線治療では、放射線照射位置の精度が１ｍｍ以内（中心軸上）という極めて高い精度が要求されるため、非常に小さな範囲内での最大線量を被曝する部位を正確に特定しかつ該部位における線量を測定することが重要である。
（４）本検知具１１のファントム（ファントム本体部３１）はシート体（第１シート体３３ｓ、第２シート体３５ｓ）を巻き取ることで立体的に形成され、シート体同士間に線量検知手段（第１フィルム型線量計４１、第２フィルム型線量計４３）が配設されるので、線量検知手段を３次元的に配設すること（例えば、フィルム型線量計の表面が湾曲するように配設すること等）も容易に行うことができ、所望する３次元的に存する測定点での測定を可能ならしめる（各測定点が連続的に連なるような場合（例えば、測定点の集合が曲面を形成するような場合）でも測定できる。）。
【００２４】
また、上で説明した本検知具１１は、本発明の本検知具の一例を示したにすぎず種々の変更が可能である。幾つかの変更について例示すると、次の通りである。
（イ）上で説明した本検知具１１は巻き取り芯２１を有しているが、巻き取り芯２１を用いずシート体（第１シート体３３ｓ）を巻き取ってもよい。
（ロ）線量測定の必要がない部分（「測定不要部分」と言う）については、シート体以外の部材（例えば、円柱、楕円柱、多角柱、球、立方体、直方体等を例示できる。ここで用いた巻き取り芯２１もこれに含まれる。）により測定不要部分を形成すれば、シート体の使用量を減少させることができると共にシート体を巻き取る作業を削減することができる。なお、該部材については、シート体と同様の材質で形成してもよいが、それ以外の材質（測定を妨げないもの）により形成してもよい。
（ハ）上で説明した本検知具１１ではシート体として第１シート体３３ｓと第２シート体３５ｓとの２種類のシート体を用いていたが、１種類のみのシート体を用いるようにしたり、３種類以上のシート体を用いるようにしてもよい。
（ニ）シート体の部分によって、厚みや幅を変えるようにしてもよい。
（ホ）線量検知手段としてフィルム型線量計のみならず、その代わりに他の線量計（例えば、ペンシル型電離箱線量計等のような電離箱線量計）を用いたり、該他の線量計とフィルム型線量計とを併用してもよい。
（ヘ）ファントム本体部３１は、ここでは直円柱形状を有しているが、これに限らず他の形状（例えば、楕円筒形状、タマネギ形状、角柱形状等）にしてもよい。
【００２５】
以上説明したように、本検知具１１は、巻き取られたシート体（第１シート体３３ｓ、第２シート体３５ｓ）により形成されたファントムたるファントム本体部３１と、該ファントム（ファントム本体部３１）を形成するシート体同士間に存し、放射線量を検知する線量検知手段（第１フィルム型線量計４１、第２フィルム型線量計４３）と、を備えてなる、放射線量検知具である。
前記線量検知手段（第１フィルム型線量計４１、第２フィルム型線量計４３）が、前記シート体同士間に沿ったフィルム形状（フィルム型線量計）である。
そして、前記放射線量検知具（本検知具１１）を少なくとも２の部分に分割する所定平面（例えば、図２（ａ）に示される面）に存する点（例えば、図２（ａ）に示される点Ｍ）を通過する該所定平面上の直線の全てが前記線量検知手段たる第１フィルム型線量計４１（図２（ａ）においては環状に配設されている。）を通過するものである該点（例えば、図２（ａ）に示される点Ｍ）が存在する。
さらに、前記巻き取られたシート体（第１シート体３３ｓ、第２シート体３５ｓ）同士が隣接する部分（線量検知手段（第１フィルム型線量計４１、第２フィルム型線量計４３）がシート体同士間に介在することにより、巻き取られたシート体同士が離れている部分を除く部分）はシート体同士が密接している。
また、前記シート体（第１シート体３３ｓ、第２シート体３５ｓ）が、アクリル樹脂（軟性アクリル樹脂：ＰＭＭＡ）により形成されている。
なお、ここではそうしていないが、前記線量検知手段（第１フィルム型線量計４１、第２フィルム型線量計４３）が、前記線量検知手段（第１フィルム型線量計４１、第２フィルム型線量計４３）が間に配設される前記シート体同士のうちいずれか一方に固定されるようにしてもよい。
そして、本検知具１１は、前記シート体（第１シート体３３ｓ、第２シート体３５ｓ）と前記線量検知手段（第１フィルム型線量計４１、第２フィルム型線量計４３）とを備えてなる、本検知具１１を製作するための製作キットとして製造及び提供されてもよい。
【図面の簡単な説明】
【００２６】
【図１】本発明の放射線量検知具（本検知具）を示す斜視図である。
【図２】図２は図１のＡ−Ａ断面図である。
【図３】第１シート体（図３（ａ））と第２シート体（図３（ｂ））と巻き取り芯（図３（ｃ））とを示す斜視図である。
【図４】巻き取り芯に第１シート体を巻き取るところを示す図である。
【図５】中間体に第２シート体を巻き取るところを示す図である。
【図６】本検知具をＣＴ装置に配置し撮像しているところを示す図である。
【図７】本検知具をＣＴ装置に配置し撮像した図である。
【符号の説明】
【００２７】
１１        本検知具
２１        巻き取り芯
３１        ファントム本体部
３３        第１部分
３３ｓ      第１シート体
３５        第２部分
３５ｓ      第２シート体
４１        第１フィルム型線量計
４３        第２フィルム型線量計
４５        第３フィルム型線量計
５１        中間体
【図１】
0004701353.tif 000002
【図２】
0004701353.tif 000003
【図３】
0004701353.tif 000004
【図４】
0004701353.tif 000005
【図５】
0004701353.tif 000006
【図６】
0004701353.tif 000007
【図７】
0004701353.tif 000008